(57)【要約】【課題】様々な種類の屋根に対して設置可能な安全器具を提供する。【解決手段】安全器具１０は、第１の載置部材４０、第２の載置部材５０を備え、親綱支柱２０を第１の載置部材４０の中央部分に搭載し、親綱支柱２０と第２の載置部材５０の中央部分との間を伸縮可能な連結部材３０で連結した構成となっている。そして、第１および第２の載置部材４０、５０には、それぞれ複数の取付用穴６０が設けられている。【選択図】図１
2020033710.tif 000002
【特許請求の範囲】
【請求項１】
親綱支柱と、
前記親綱支柱を載せ、屋根に取り付けられる第１の直状載置部材と、
屋根に取り付けられる第２の直状載置部材と、
前記第２の直状載置部材と前記親綱支柱とを連結し、長手方向に伸縮可能な連結部材とを備え、
前記第１および第２の直状載置部材が、それぞれ、屋根の取り付け器具を利用した前記第１および第２の直状載置部材の取り付けを可能にする複数の取付用穴を設けていることを特徴とする安全器具。
【請求項２】
前記第１および第２の直状載置部材が、それぞれ、屋根の取り付け器具の勾配垂直方向に沿った配置間隔に応じて、複数の取付穴を設けていることを特徴とする請求項１に記載の安全器具。
【請求項３】
前記第１および第２の直状載置部材が、それぞれ、瓦棒屋根の瓦棒の距離間隔、折板屋根の頂部の距離間隔、波型スレート屋根のピッチの少なくともいずれか２つに応じた複数の取付用穴を設けていることを特徴とする請求項１乃至２のいずれかに記載の安全器具。
【請求項４】
前記第１および第２の直状載置部材が、それぞれ、長手方向に沿って横長の取付用穴を有することを特徴とする請求項１乃至３のいずれかに記載の安全器具。
【請求項５】
前記連結部材が、屋根の取り付け器具もしくは雪止め金具の勾配方向に沿った配置間隔に合わせて伸縮可能であることを特徴とする請求項１乃至４のいずれかに記載の安全器具。
【請求項６】
前記第１および第２の直状載置部材が、断面Ｃ型の部材で構成され、
前記親綱支柱が、前記第１の直状載置部材の開口部側上面に取り付けられた取り付け器具に固定され、
前記連結部材が、前記第２の直状載置部材の開口部側上面に設けられた取り付け器具に固定されることを特徴とする請求項１乃至５のいずれかに記載の安全器具。
【請求項７】
前記第１の直状載置部材が、長手方向中央部分で前記親綱支柱を支持し、
前記第２の直情載置部材が、前記第１の直状載置部材と向かい合い、長手方向中央部分で前記連結部材と連結し、
前記複数の取付用穴が、それぞれ、長手方向中央部分に対して対称的に形成されていることを特徴とする請求項１乃至６のいずれかに記載の安全器具。
【請求項８】
前記第１の直状載置部材と前記親綱支柱とを連結する補強部材をさらに備えることを特徴とする請求項１乃至７のいずれかに記載された安全器具。
【請求項９】
請求項１乃至８のいずれかに記載された安全器具を屋根に設置する設置方法であって、
前記第１の直状載置部材を、安全器具取り付け対象となる屋根の取り付け器具の勾配垂直方向に沿った位置に合わせて設置し、
前記第１の直状載置部材を、その取り付け器具の位置に応じた取付用穴を使って屋根に固定し、
前記連結部材の長さを、前記屋根の取り付け器具と、別の屋根の取り付け器具との勾配方向に沿った距離間隔に応じて調整し、
前記第２の直状載置部材を、前記別の屋根の取り付け器具の位置に応じた取付用穴を使って屋根に固定する
ことを特徴とする安全器具設置方法。
【請求項１０】
前記第１、第２の直状載置部材の使用する取付用穴の位置が中央部分から離れほど、連結部材を伸ばして前記第１、第２の直状載置部材の距離間隔を広げることを特徴とする請求項９に記載の安全器具設置方法。
【発明の詳細な説明】
【技術分野】
【０００１】
本発明は、親綱支柱を備えた安全器具に関する。
【背景技術】
【０００２】
従来、屋根上で作業をする作業者の転落を防止するため、親綱支柱を備えた安全器具（単に親綱支柱ともいう）が知られている。そこでは、複数の親綱支柱を屋根上に設置し、親綱支柱の頂部に設けられたロープ受け金具に対して親綱を掛け渡す。作業者は、自身の命綱を親綱に連結し、作業を行う。
【０００３】
屋根には折板屋根、スレート屋根、瓦棒屋根など様々な種類があり、親綱支柱を支える構造も、屋根の種類によって異なる。例えば、折板屋根の場合、親綱支柱に対して２本のサポート部材を設け、親綱支柱および２本のサポート部材の下端を、屋根のハゼ部に取り付けられた雪止め用金具にそれぞれ取り付ける（特許文献１参照）。また、スレート屋根の場合、親綱支柱とサポート部材を棒状部材の載置部に取り付け、屋根面と水平になるように載置部を接して固定する（特許文献２参照）。
【先行技術文献】
【特許文献】
【０００４】
【特許文献１】特開２００９−２２８２０９号公報
【特許文献２】特開２０１０−１９６３６１号公報
【発明の概要】
【発明が解決しようとする課題】
【０００５】
屋根の種類に応じて安全器具の構造が相違するため、ある屋根に種類に適した安全器具を他の屋根に設置することが困難であり、屋根の種類ごとに専用の安全器具を用意しなければならない。
【０００６】
したがって、様々な種類の屋根に対して設置可能な安全器具が求められる。
【課題を解決するための手段】
【０００７】
本発明の一態様である安全器具は、親綱支柱と、親綱支柱を載せ、屋根に取り付けられる第１の直状載置部材と、屋根に取り付けられる第２の直状載置部材と、第２の直状載置部材と親綱支柱とを連結し、長手方向に伸縮可能な連結部材とを備える。そして第１および第２の直状載置部材には、それぞれ、屋根の取り付け器具を利用した第１および第２の直状載置部材の取り付けを可能にする複数の取付用穴が設けられている。ここで「屋根の取付金具」とは、屋根を構成するのに必要な器具や屋根上に設置される器具を示し、例えば折板屋根、波型スレート屋根に所定間隔で配置されるボルトや、瓦棒屋根などに取り付けられる雪止め金具が含まれる。
【０００８】
本発明の一態様である安全器具の設置方法は、上述した安全器具を屋根に設置する設置方法であって、第１の直状載置部材を、安全器具取り付け対象となる屋根の取り付け器具の勾配垂直方向に沿った位置に合わせて設置し、第１の直状載置部材を、その取り付け器具の位置に応じた取付用穴を使って屋根に固定し、連結部材の長さを、屋根の取り付け器具と、別の屋根の取り付け器具との勾配方向に沿った距離間隔に応じて調整し、第２の直状載置部材を、別の屋根の取り付け器具の位置に応じた取付用穴を使って屋根に固定する。
【発明の効果】
【０００９】
本発明によれば、様々な種類の屋根に対して設置可能な安全器具を提供することができる。
【図面の簡単な説明】
【００１０】
【図１】本実施形態である安全器具の斜視図である。
【図２】第１、第２の載置部材と屋根との取り付け部分を勾配方向から見た平面図である。
【図３】第２の載置部材を上から見た平面図である。
【図４】連結部材を伸縮させたときの第２の載置部材の位置を示した図である
【図５】波型スレート屋根の斜視図である。
【図６】折板屋根の斜視図である。
【発明を実施するための形態】
【００１１】
以下では、図面を用いて本実施形態である安全器具について説明する。
【００１２】
図１は、本実施形態である安全器具の斜視図である。
【００１３】
安全器具１０は、屋根上で作業する作業者の転落などを防止する安全装置であり、住宅屋根、駅舎、ホームの屋根など様々な屋根に適用可能である。親綱支柱２０を備えた安全器具１０は、屋根５の上に複数設置され、それらの親綱支柱２０のロープ掛け部２２に親綱１５を通し、あるいは引っ掛け、親綱１５を安全器具の間で張り巡らす。作業者は、自身の命綱を親綱１５に掛けた状態で、屋根上の作業を行う。
【００１４】
安全器具１０は、親綱支柱２０とともに、親綱支柱２０が搭載される第１の載置部材４０と、親綱支柱２０に角度をもって取り付けられる連結部材３０と、連結部３０の端部が取り付けられる第２の載置部材５０とを備えている。第１の載置部材４０、第２の載置部材５０は直状の部材で構成され、ここでは同じ長さで構成されている。第１の載置部材４０、第２の載置部材５０は、屋根の下がっていく勾配方向（符号Ｆ参照）に垂直な方向（以下、勾配垂直方向という）に沿って屋根に取り付けられ、互いに向かい合うように並んでいる。また、親綱支柱２０を支える第１の載置部材４０が屋根の頂部側となるように、安全器具１０が設置されている。
【００１５】
第１の載置部材４０、第２の載置部材５０は、ここでは断面Ｃ型の部材で構成され、その上面４０Ｔ、５０Ｔには、長手方向に沿った開口部が形成されている。例えば、第１および第２の載置部材４０、５０は、Ｃ型鋼で構成することができる。第１の載置部材４０の上面４０Ｔには、対になったＬ型のアングル部材４４がその中央部分に設置され、親綱支柱２２の端部がアングル部材４４によって固定される。第２の載置部材５０の上面５０Ｔにも、対になったＬ型アングル部材５２がその中央部分に設置され、連結部材３０の端部がアングル部材４４によって固定される。
【００１６】
連結部材３０は、第２の載置部材５０と親綱支柱２０とを連結し、親綱支柱２０を支える。連結部材３０の他方の端部には、Ｕ字型の開口部が形成された接続部３５が設けられている。接続部３５により、連結部材３０の親綱支柱２０に対する取り付け角度が可変となる。第２の載置部材５０に対する連結部材３０の取り付け角度も、それに合わせて調整することができる。
【００１７】
連結部材３０は、接続部３５と繋がる第１の棒状部材３２と、その棒状部材３２を収容可能な内部空間を形成した第２の棒状部材３４とを備え、第１の棒状部材３４、第２の棒状部材３４に取り付けられた複数の穴３８のいずれかの穴同士の位置を調整することによって、その長さを調整することができる。連結部材３０の長さを調整することにより、第１の載置部材４０と第２の載置部材５０との距離間隔を変更することができる。
【００１８】
安全器具１０には、第１の載置部材４０の両端部と親綱支柱２０とを連結する棒状の補強部材３６、３７が設けられている。補強部材３６、３７は、それぞれＬ型アングル部材４２、４６によってその一端が固定され、他方の端部は親綱支柱２０に固定されている。連結部材３０の接続部３５は、補強部材３６、３７の親綱支柱２０に対する取り付け位置よりも下方に取り付けられている。
【００１９】
図２は、第１、第２の載置部材４０、５０と屋根５との取り付け部分を勾配方向から見た平面図である。図１、２を用いて、安全器具１０の屋根への取り付け構造を説明する。
【００２０】
図１に示した屋根５は、瓦棒屋根であり、瓦棒６が所定距離間隔で勾配垂直方向に並んでいる。安全器具１０は、瓦棒６に取り付けられている雪止め金具を利用して屋根５に取り付ける。具体的には、第１の載置部材４０が、雪止め金具８０Ａ、８０Ｂに取り付けられ、第２の載置部材５０が、雪止め金具７０Ａ、７０Ｂに取り付けられている。雪止め金具７０Ａ、７０Ｂは、雪止め金具８０Ａ、８０Ｂの位置から勾配方向に沿って距離Ｌ１（図１参照）だけ離れた位置に設置されている。だたし、図１では、雪止め金具７０Ａ、７０Ｂ、８０Ａ、８０Ｂの図示を省略している。
【００２１】
後述するように、第１の載置部材４０、第２の載置部材５０は、その長手方向に沿って複数の取付用穴を設けている。雪止め金具７０Ａ、７０Ｂと、雪止め金具８０Ａ、８０Ｂの頂部に設けられたボルト７５Ａ、７５Ｂ、ボルト８５Ａ，８５Ｂ（図２参照）を、第２の載置部材５０、第１の載置部材４０に設けられた取付用穴にそれぞれ通し、ナットで締め付けることによって、安全器具１０を屋根上に固定することができる。
【００２２】
図３は、第２の載置部材５０を上から見た平面図である。
【００２３】
第２の載置部材５０の開口部側底面５０Ｍには、その中心ラインＣ１に沿って複数の取付用穴６０が形成されている。複数の取付用穴６０は、中央ラインＣ２を境にして対称的であり、互いに所定間隔離れて配置されている。ここでは、中央ラインＣ１に位置する穴６１、中央ラインＣ２に最も近い一対の穴６４Ａ、６４Ｂが形成され、また、その外側には中心ラインＣ１に沿って横長の穴６２Ａ、６２Ｂが形成され、さらに外側にある穴６０Ａ、６０Ｂが形成されている。第１の設置部材４０も、同様の取付用穴６０が同じ位置に形成されている。
【００２４】
取付用穴６２Ａ、６２Ｂは、隣り合う瓦棒６の距離間隔Ｄ１に応じた間隔で第２の載置部材５０に形成されている。したがって、作業者は、第１の載置部材４０、第２の載置部材５０に設けられた取付用穴６２Ａ、６２Ｂを使って、第１および第２の載置部材４０、５０を屋根に取り付けることができる。
【００２５】
一方、雪止め金具７０Ａ、７０Ｂと雪止め金具８０Ａ、８０Ｂは、本来、屋根５の勾配垂直方向に沿って配置する棒状部材（図示せず）を瓦屋根５に取り付けるための金具であり、その設置個所は適宜定められ、その配置位置は固定されない。本実施形態では、あらかじめ屋根５に取り付けられていた多数の雪止め金具のうち雪止め金具７０Ａ、７０Ｂ、８０Ａ、８０Ｂを用いて安全器具１０を固定している。
【００２６】
図４は、連結部材３０を伸縮させたときの第２の載置部材５０の位置を示した図である。連結部材３０の長さは、雪止め金具７０Ａ、７０Ｂ、８０Ａ、８０Ｂの勾配方向に沿った配置間隔Ｌ１に合わせて調整される。この調整によって、第２の載置部材５０の取付用穴６２Ａ、６２Ｂの位置を、雪止め金具７０Ａ、７０Ｂの位置に合わせることができる。
【００２７】
以上、瓦棒タイプの屋根５に安全器具１０を取り付ける説明を行ったが、安全器具１０は、他の種類の屋根に対しても取り付けることが可能である。以下では、波型スレート屋根、折板屋根への安全器具１０の取り付けについて説明する。
【００２８】
図５は、波型スレート屋根の斜視図である。波型スレート屋根１５０は、その断面が波状に形成された屋根であり、所定のピッチで規則的に山と谷が繰り返される。ここでのスレート屋根１５０は、既存の波形スレート屋根の上に新設屋根をカバーしたものであり、直接固定方法あるいは間接固定方法などに従い、新設屋根がボルト（屋根の取り付け金具）１５２によって既存の波形スレート屋根に取り付けられている。
【００２９】
ボルト１５２はナット１５３とともに波の頂部から突出し、ここでは、その勾配垂直方向に沿った配置間隔Ｄ２が、スレート屋根１５０のピッチ２つおきの間隔に定められ、瓦棒６の配置間隔Ｄ１よりも大きい。また、ボルト１５２の勾配方向に沿った配置間隔Ｌ２も、瓦棒６の配置間隔Ｌ１より大きい。
【００３０】
作業者は、このボルト１５２の配置間隔Ｄ２、Ｌ２に従って安全器具１０を設置する。図３に示すように、ボルト１５２の配置間隔Ｄ２は、取付用穴６２Ａ、６２Ｂがカバーしている。したがって、作業は、取付用穴６２Ａ、６２Ｂの端部付近でボルト１５２を取付用穴６２Ａ，６２Ｂに通し、ナット１５３を締め付けることによって固定する。また、連結部材２０の長さを、配置間隔Ｌ２に合うように調整し、連結部材３０の親綱支柱２０、第２の載置部材５０に対する取り付け角度も合わせて調整する。
【００３１】
図６は、折板屋根の斜視図である。折板屋根２５０は、山と谷が交互に繰り返されるタイトフレームに折板を上から取り付けた構造の屋根であり、重ね型などの折板屋根では、山の頂部にボルト２５２がナット２５３とともに突出している。
【００３２】
ボルト２５２は山ごとに設置されているため、隣り合うボルト２５２の距離間隔Ｄ’は比較的短く、取り付け対象のボルト２５２を選択することができる。ここでは、取付用穴６０Ａ、６０Ｂ（図３参照）に応じた距離間隔Ｄ３をもつボルト２５２が選ばれる。一方、勾配方向に関しても、比較的に短い距離間隔でボルト２５２が配置され、選択可能である。ここでは、連結部材２０を最も伸ばしたときの距離間隔Ｌ３に応じた配置間隔のボルト２５２を使って安全器具１０を固定する。
【００３３】
これは、第１、第２の載置部材４０、５０において、使用する取付用穴の距離間隔が大きい、すなわち使用する取付用穴が中央ラインＣ２から離れるほど、連結部材２０を伸ばして第１、第２の載置部材４０、５０の距離間隔を広げるためである。
【００３４】
屋根５、１５０、２５０に安定して固定することを考慮すれば、第１、第２の載置部材４０、５０の両端付近の取付用穴を使って固定するのが好ましい。折板屋根２５０のように使用するボルトを比較的自由に選択できる場合、第１、第２の載置部材４０、５０の距離間隔をより大きくすることで、構造上親綱支柱２０を強固に支持することが可能となる。
【００３５】
このように本実施形態における安全器具１０は、第１の載置部材４０、第２の載置部材５０を備え、親綱支柱２０を第１の載置部材４０の中央部分に搭載し、親綱支柱２０と第２の載置部材５０の中央部分との間を伸縮可能な連結部材３０で連結した構成となっている。そして、第１および第２の載置部材４０、５０には、それぞれ、屋根の種類に応じた複数の取付用穴６０が設けられ、複数の取付用穴６０は、様々な屋根の取り付け器具（雪止め金具を含む）の設置間隔に合わせて形成されている。
【００３６】
このような安全器具１０の構成により、様々な種類の屋根（平屋根を含む）にも安全器具１０を設置することが可能であり、極めて汎用性が高く、上述した屋根以外に対しても適用することが可能である。また、親綱支柱２０を第１の載置部材４０の中央部分に載せ、第２の載置部材５０の中央部分に取り付けた連結部材３０を親綱支柱２０に対し所定角度を持たせて連結させることにより、その支持構造のバランスがよく、安定している。さらに、補強部材３６、３７によって親綱支柱２０の支持が強固になっている。
【００３７】
さらに、第１、第２の載置部材４０、５０は断面Ｃ型の部材として構成されている。そのため、ボルトなどの屋根の取付金具を使った第１、第２の載置部材４０、５０の固定作業、取り外し作業が容易となる一方、第１、第２の載置部材４０、５０の開口部側上面４０Ｔ、５０Ｔにおいて、親綱支柱２０、連結部材３０の固定作業も容易となる。特に、連結部材３０を伸縮させて取付角度を調整する作業も速やかに行うことができる。
【００３８】
また、第１、第２の載置部材４０、５０に対して横長の取付用穴６２Ａ、６２Ｂを設けることにより、屋根の取付器具あるいは雪止め金具の配置間隔が屋根の種類、規格などに応じて幾分相違しても、それらを受け入れて安全器具１０を固定させることができる。
【００３９】
複数の取付用穴６０の構成、形成位置については、屋根の種類に応じて、上述した以外の構成を採用することも可能であり、適宜第１、第２の載置部材４０、５０の長さを変更し、穴の数を増やしてもよい。また、第１、第２の載置部材４０、５０を異なる長さにした場合などでは、固定に使用する取付用穴を、第１、第２の載置部材４０、５０で異なる位置の穴にしてもよい。一方、連結部材３０の伸縮構造についても、上述した構造以外を採用してもよい。
【００４０】
屋根の取付金具に関しても、上述したボルト、雪止め金具以外であって、屋根の構造に従って必然的に用いられる屋根の取り付け器具、あるいは屋根上に設置された取り付け器具を利用することも可能である。このような屋根の取り付け器具の勾配方向、勾配垂直方向に沿った配列に合った第１、第２の載置部材の取付用穴を利用し、連結部材の長さを調整することで、安全器具１０を確実に屋根に設置することができる。
【符号の説明】
【００４１】
５  屋根
６  瓦棒
１０  安全器具
１５  親綱
２０  親綱支柱
３０  連結部材
４０  第１の載置部材
５０  第２の載置部材
６０  取付用穴
７０Ａ、７０Ｂ  雪止め金具
【図１】
2020033710.tif 000003
【図２】
2020033710.tif 000004
【図３】
2020033710.tif 000005
【図４】
2020033710.tif 000006
【図５】
2020033710.tif 000007
【図６】
2020033710.tif 000008